(57)【要約】【課題】レーダユニットとグリルシャッタとの両方の機能を搭載する場合に、外気の流路減少を防止しつつレーダユニットの前方への突出を防止する。【解決手段】前方に向けて電波を放射するレーダユニット５と、このレーダユニット５の側方に配置される回動可能なフラップ４と、レーダユニット５の後方に配置されるアクチュエータ６と、アクチュエータ６とフラップ４とを接続してアクチュエータ６からフラップ４に動力を伝達する動力伝達部７とを備える。【選択図】図５
2016124316.tif 000002
【特許請求の範囲】
【請求項１】
前方に向けて電波を放射するレーダユニットと、
当該レーダユニットの側方に配置される回動可能なフラップと、
前記レーダユニットの後方に配置されるアクチュエータと、
前記アクチュエータと前記フラップとを接続して前記アクチュエータから前記フラップに動力を伝達する動力伝達部と
を備えることを特徴とするグリルシャッタモジュール。
【請求項２】
前記動力伝達部は、
前記アクチュエータにより昇降されるブラケットと、
前記ブラケットと前記フラップの回転軸とを連結するリンク部と
を備えることを特徴とする請求項１記載のグリルシャッタモジュール。
【請求項３】
前記レーダユニットは、前記ブラケットの昇降を案内するガイド部を備えることを特徴とする請求項２記載のグリルシャッタモジュール。
【請求項４】
前記フラップ及び前記リンク部を複数備え、複数の前記リンク部が前記ブラケットに接続されていることを特徴とする請求項２または３記載のグリルシャッタモジュール。
【発明の詳細な説明】
【技術分野】
【０００１】
本発明は、グリルシャッタモジュールに関するものである。
【背景技術】
【０００２】
近年は、車両の燃費性能等を向上させるために、車両の前面に設けられたバンパ開口に対してグリルシャッタを設ける場合がある（例えば特許文献１）。このようなグリルシャッタは、複数のフラップとこれらのフラップを回動させるためのアクチュエータを備えており、バンパ開口からエンジンルームに流れ込む外気の流量を調整する。
【先行技術文献】
【特許文献】
【０００３】
【特許文献１】特開２０１３−２２６９２４号公報
【発明の概要】
【発明が解決しようとする課題】
【０００４】
一方で、近年、周囲の障害物等を検知するためのレーダユニットの車両への搭載が進んできている。このようなレーダユニットは、ミリ波等の電波を放射し、その反射波を検出することによって障害物までの距離等を求めている。このようなレーダユニットと上述のグリルシャッタとの両方を車両に搭載する場合に、レーダユニットとグリルシャッタとを別の位置に設けると、限られた車両の前面のスペースがレーダユニットとグリルシャッタとで大きく割かれることになる。このため、レーダユニットとグリルシャッタとは、車両の前面側から見て重ねて配置することが好ましい。
【０００５】
ただし、レーダユニットの電波の進行を阻害しないためには、レーダユニットの前方にグリルシャッタの複雑な機構を配置しないようにする必要がある。このため、レーダユニットとグリルシャッタとを車両の前面側から見て重ねて配置する場合には、グリルシャッタの前方にレーダユニットを配置することが考えられる。しかしながら、このような場合には、グリルシャッタに対してレーダユニットが前方に突出することから、外装デザイン上好ましくない。また、レーダユニットが車体から突出しないように配置すると、グリルシャッタのフラップやこのフラップを支えるフレームがエンジンルームの内側に入り込んで配置されることになり、エンジンルームのスペースを圧迫してしまう。
【０００６】
また、特許文献１に示すように、グリルシャッタのアクチュエータを中央から側方に変位して配置する構成を採用することも考えられる。このように、アクチュエータを中央から変位した位置に設けることによって開いたスペースにレーダユニットを配置することができる。しかしながら、このような場合には、外気の流路に対してアクチュエータを配置することになり、流路面積を減少させることになる。流路面積が減少すると、流れ込む外気の流量が減少するため、ラジエータの冷却性能等を悪化させることになる。
【０００７】
本発明は、上述する問題点に鑑みてなされたもので、レーダユニットとグリルシャッタとの両方の機能を搭載する場合に、外気の流路減少を防止しつつレーダユニットの前方への突出を防止することを目的とする。
【課題を解決するための手段】
【０００８】
本発明は、上記課題を解決するための手段として、以下の構成を採用する。
【０００９】
第１の発明は、グリルシャッタモジュールであって、前方に向けて電波を放射するレーダユニットと、当該レーダユニットの側方に配置される回動可能なフラップと、上記レーダユニットの後方に配置されるアクチュエータと、上記アクチュエータと上記フラップとを接続して上記アクチュエータから上記フラップに動力を伝達する動力伝達部とを備えるという構成を採用する。
【００１０】
第２の発明は、上記第１の発明において、上記動力伝達部が、上記アクチュエータにより昇降されるブラケットと、上記ブラケットと上記フラップの回転軸とを連結するリンク部とを備えるという構成を採用する。
【００１１】
第３の発明は、上記第２の発明において、上記レーダユニットが、上記ブラケットの昇降を案内するガイド部を備えるという構成を採用する。
【００１２】
第４の発明は、上記第２または第３の発明において、上記フラップ及び上記リンク部を複数備え、複数の上記リンク部が上記ブラケットに接続されているという構成を採用する。
【発明の効果】
【００１３】
本発明によれば、レーダユニットの側方にフラップが配置されていることから、レーダユニットとフラップとをグリルシャッタモジュールの前面に略面一で配置することができる。このため、レーダユニットが前方に突出することを防止することができる。さらに、本発明においては、フラップを回動させるアクチュエータがレーダユニットの後方に配置され、このアクチュエータが動力伝達部によってフラップと接続されている。このため、車両の前側から見たときに、レーダユニットの後側にアクチュエータが隠れ、外気の流路が減少することを防止することができる。
【図面の簡単な説明】
【００１４】
【図１】本発明の一実施形態におけるグリルシャッタモジュールを含む車両の正面図である。
【図２】本発明の一実施形態におけるグリルシャッタモジュールの正面図である。
【図３】図２のＡ−Ａ線断面図である。
【図４】図３の部分拡大図である。
【図５】図２のＢ−Ｂ線断面図である。
【発明を実施するための形態】
【００１５】
以下、図面を参照して、本発明に係るグリルシャッタモジュールの一実施形態について説明する。なお、以下の図面において、各部材を認識可能な大きさとするために、各部材の縮尺を適宜変更している。
【００１６】
図１は、本実施形態のグリルシャッタモジュール１を含む車両１００の正面図である。この図に示すように、車両１００の前面には、エンジンルーム内に外気を取り込むためのバンパ開口１０１が設けられている。本実施形態のグリルシャッタモジュール１は、このようなバンパ開口１０１に設けられている。
【００１７】
図２は、本実施形態のグリルシャッタモジュール１の正面図である。また、図３は、図２のＡ−Ａ線断面図である。また、図４は、図３の部分拡大図である。また、図５は、図２のＢ−Ｂ線断面図である。これらの図に示すように、本実施形態のグリルシャッタモジュール１は、フレーム２と、支持部３と、フラップ４と、レーダユニット５と、アクチュエータ６と、動力伝達部７とを備えている。
【００１８】
フレーム２は、外縁部２ａと、２つの支柱２ｂとを備えている。外縁部２ａは、バンパ開口１０１の縁に沿って設けられた環状の部位であり、車体に対して固定される。この外縁部２ａは、図５に示すように、上部２ａ１と下部２ａ２とが支持部３等を接続するために、車両の後方側（すなわちエンジンルーム側）に延在して設けられている。支柱２ｂは、上下方向に延在する部位であり、車幅方向に離間して２本設けられている。これらの支柱２ｂによって、図２に示すように、外縁部２ａで囲まれた領域が、中央領域Ｒａと、これらの中央領域Ｒａを車幅方向から挟むように配置される２つの側部領域Ｒｂとに区分けされる。このようなフレーム２は、支持部３、フラップ４、レーダユニット５、アクチュエータ６及び動力伝達部７を直接的あるいは間接的に支持する。
【００１９】
支持部３は、外縁部２ａの上部２ａ１に固定されており、レーダユニット５及びアクチュエータ６を支持する。フラップ４は、図５に示すように、翼部４ａと、翼部４ａの中央部に配置される回転軸４ｂとを備えている。このフラップ４は、車幅方向に延在されており、回転軸４ｂの一端部が動力伝達部７に固定され、回転軸４ｂの他端部が外縁部２ａの側部に軸支されている。このようなフラップ４は、動力伝達部７から回転動力が伝達されることによって回転軸４ｂを中心として回動可能とされている。また、フラップ４は、図２に示すように、側部領域Ｒｂの各々に上下に配列されて３つずつ設けられている。全てのフラップ４は、動力伝達部７によって同期して回動され、バンパ開口１０１を翼部４ａが閉じる閉姿勢、バンパ開口１０１が開放される開姿勢もしくはこれらの中間姿勢とされる。
【００２０】
レーダユニット５は、支持部３によって支持されており、フレーム２の支柱２ｂ同士の間に配置されている。すなわち、レーダユニット５は、図２に示すように、中央領域Ｒａに配置されている。このようなレーダユニット５は、車両の前方に向けて電波を放射すると共にその反射波を受信することによって、車両前方の障害物等を検知する。
【００２１】
また、レーダユニット５は、図４に示すように、筐体に対して側方に突出して設けられるガイド部５ａが設けられている。このガイド部５ａは、レーダユニット５の両側に設けられており、各々が上下方向に延在して設けられている。これらのガイド部５ａは、動力伝達部７の後述のブラケット７ａが摺動可能に接続されるガイド溝５ａ１を有しており、ブラケット７ａを昇降可能に案内する。このようなガイド部５ａのガイド溝５ａ１は、後方に向けて開口されている。このようなガイド溝５ａ１に接続されるブラケット７ａは、昇降可能ではあるが、水平方向への移動はガイド部５ａによって規制される。
【００２２】
アクチュエータ６は、支持部３によって支持され、レーダユニット５の後方に配置されている。つまり、本実施形態において、アクチュエータ６は、レーダユニット５の裏側であって、車両の正面側から見てレーダユニット５に隠れる位置に配置されている。このようなアクチュエータ６は、サーボモータやソレノイド等を駆動源として備えており、エンジンコントロールユニットの制御の下、フラップ４を回動させるための動力を生成する。
【００２３】
動力伝達部７は、図３に示すように、アクチュエータ６の両側に各々設けられている。つまり、本実施形態においては、１つのアクチュエータ６に対して２つの動力伝達部７が設けられている。これらの動力伝達部７は、左右対称であることを除き同様の構成であることから、ここでは片側の動力伝達部７の説明のみを行う。
【００２４】
動力伝達部７は、ブラケット７ａと、リンク部７ｂとを備えている。ブラケット７ａは、図５に示すように、リンク部７ｂが接続されるベース部７ａ１と、当該ベース部７ａ１の下端から後方に向けて突出すると共に先端部が屈曲してアクチュエータ６に固定される突出部７ａ２とを備えている。ベース部７ａ１には、前後方向に延在する長孔７ａ３が上下方向に配列されて３つ設けられている。これらの長孔７ａ３は、リンク部７ｂの後述するリンクピン７ｂ２が差し込まれる部位である。このような長孔７ａ３に差し込まれたリンクピン７ｂ２は、前後方向に長孔７ａ３の内部を移動することができる。
【００２５】
また、図４に示すように、ブラケット７ａは、ガイド溝５ａ１に摺動可能に差し込まれる突出片７ａ４を備えている。この突出片７ａ４は、ベース部７ａ１から側方に突出すると共に屈曲して先端部がガイド部５ａのガイド溝５ａ１に差し込まれている。このように、ブラケット７ａは、突出片７ａ４の先端部がガイド溝５ａ１に差し込まれることによってレーダユニット５に対して摺動可能に接続されている。
【００２６】
リンク部７ｂは、リンク棒７ｂ１と、リンクピン７ｂ２とを備えている。リンク棒７ｂ１は、各々のフラップ４の回転軸４ｂに前端部が固定されて後方に向けて延在する棒部材である。なお、上述のように、本実施形態においては、１つの側部領域Ｒｂ（図２参照）に３つのフラップ４が配置されている。このため、リンク棒７ｂ１も３つ設けられる。リンクピン７ｂ２は、リンク棒７ｂ１の後端部から車幅方向に水平方向に突出するピン部材であり、ブラケット７ａのベース部７ａ１に設けられた長孔７ａ３に差し込まれている。
【００２７】
このようなリンク部７ｂは、ブラケット７ａとフラップ４の回転軸４ｂとを連結しており、アクチュエータ６によって昇降されるブラケット７ａの上下運動を回転運動に変換してフラップ４に伝達する。つまり、ブラケット７ａが昇降されると、リンクピン７ｂ２が長孔７ａ３内を移動しながらリンク棒７ｂ１の後端部が昇降され、これによってリンク棒７ｂ１が先端部を中心として回動される。この結果、リンク棒７ｂ１の先端部に固定されたフラップ４の回転軸４ｂが回動され、フラップ４が回動することになる。
【００２８】
このような構成を有する本実施形態のグリルシャッタモジュール１では、前面に配置されたレーダユニット５によって車両の前方に電波が放射され、この反射波によって障害物等の検知が行われる。また、エンジンコントロールユニットの制御の下、アクチュエータ６が駆動され、これによってフラップ４が回動され、バンパ開口１０１に流れ込む外気の流量が調整される。
【００２９】
このような本実施形態のグリルシャッタモジュール１によれば、レーダユニット５の側方にフラップ４が配置されていることから、レーダユニット５とフラップ４とをグリルシャッタモジュール１の前面に略面一で配置することができる。このため、レーダユニット５が前方に突出することを防止することができる。さらに、本実施形態  のグリルシャッタモジュール１においては、フラップ４を回動させるアクチュエータ６がレーダユニット５の後方に配置され、このアクチュエータ６が動力伝達部７によってフラップ４と接続されている。このため、本実施形態のグリルシャッタモジュール１によれば、車両の前側から見たときに、レーダユニット５の後側にアクチュエータ６が隠れ、外気の流路が減少することを防止することができる。
【００３０】
また、本実施形態のグリルシャッタモジュール１においては、動力伝達部７が、アクチュエータ６により昇降されるブラケット７ａと、このブラケット７ａとフラップ４の回転軸とを連結するリンク部７ｂとを備えている。このため、簡易な構造にてレーダユニット５の後方に配置されたアクチュエータ６からフラップ４への動力伝達が可能となる。
【００３１】
また、本実施形態のグリルシャッタモジュール１においては、レーダユニット５は、ブラケット７ａの昇降を案内するガイド部５ａを備えている。本実施形態のグリルシャッタモジュール１においては、アクチュエータ６がフラップ４に対して後方に変位して配置され、これらのアクチュエータ６とフラップ４とがリンク棒７ｂ１等を有する動力伝達部７を介して接続されている。このような構成では、リンク棒７ｂ１等の部材の撓みや傾斜による摩擦抵抗の増大によって、アクチュエータ６をフラップ４に直接接続する場合と比較して、アクチュエータ６からフラップ４への動力の伝達効率が悪化することが考えられる。これに対して、本実施形態のグリルシャッタモジュール１によれば、上記ガイド部５ａによってブラケット７ａの車幅方向への移動が規制されるため、動力伝達部７の動きを円滑にすることができ、アクチュエータ６からフラップ４への動力の伝達効率が悪化することを防止することができる。
【００３２】
また、本実施形態のグリルシャッタモジュール１においては、フラップ４及びリンク部７ｂを複数備え、複数のリンク部７ｂがブラケット７ａに接続されている。このため、複数（本実施形態においては３つ）のフラップ４に対して１つのブラケット７ａが設けられおり、フラップ４ごとにブラケットを設ける場合と比較して、部品点数の削減を図ることが可能となる。
【００３３】
また、本実施形態のグリルシャッタモジュール１においては、車両の正面から見て、アクチュエータ６が左右のフラップ４の中央に配置されている。このため、例えば、アクチュエータ６を左右のいずれかの方向に偏らせて配置する場合と比較して、バランス良く、左右のフラップ４に対して動力を伝達することが可能となる。つまり、左右のフラップ４の回動を精度高く同期させることが可能となる。
【００３４】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００３５】
例えば、上記実施形態においては、動力伝達部７がブラケット７ａとリンク部７ｂとを備える構成を採用した。しかしながら、本発明はこれに限定されるものではなく、動力伝達部７が他の機構（例えばカム機構）を有する構成を採用することも可能である。
【００３６】
また、上記実施形態においては、車両の車幅方向の中央にレーダユニット５が配置された構成を採用した。しかしながら、本発明はこれに限定されるものではなく、レーダユニット５を車両の車幅方向の中央から変位して配置する構成を採用することも可能である。この場合であっても、アクチュエータ６はレーダユニット５の後方に配置される。つまり、アクチュエータ６もレーダユニット５と同様に、車両の車幅方向の中央から変位して配置される。
【００３７】
また、上記実施形態においては、ガイド部５ａがガイド溝５ａ１を備える構成について説明した。しかしながら、本発明はこれに限定されるものではなく、ガイド部５ａがガイドレールを備え、ブラケット７ａが当該ガイドレールに接続される溝を有する構成を採用することも可能である。
【００３８】
また、上記実施形態においては、ガイド部５ａがレーダユニット５に対して設けられる構成について説明した。しかしながら、本発明はこれに限定されるものではなく、例えばフレーム２に対してガイド部が設けられる構成を採用することも可能である。フレーム２が、レーダユニット５と比較して形状等の規制が少ない場合には、フレーム２に対してガイド部を設けることが望ましい。
【００３９】
また、上記実施形態においては、車両１００の前面に設けられたバンパ開口１０１に対してグリルシャッタを設ける場合について説明した。しかしながら、本発明はこれに限定されるものではなく、例えば車両１００の前面に設けられたグリル開口に対してグリルシャッタ１を設けることも可能である。この場合、レーダユニットの前方に電波を透過可能なエンブレム（レドーム）を設けることも可能である。
【符号の説明】
【００４０】
１……グリルシャッタモジュール、２……フレーム、３……支持部、４……フラップ、４ａ……翼部、４ｂ……回転軸、５……レーダユニット、５ａ……ガイド部、６……アクチュエータ、７……動力伝達部、７ａ……ブラケット、７ｂ……リンク部、１００……車両
【図１】
2016124316.tif 000003
【図２】
2016124316.tif 000004
【図３】
2016124316.tif 000005
【図４】
2016124316.tif 000006
【図５】
2016124316.tif 000007